【手続補正書】
【提出日】平成30年7月17日(2018.7.17)
【手続補正１】
【補正対象書類名】特許請求の範囲
【補正対象項目名】全文
【補正方法】変更
【補正の内容】
【特許請求の範囲】
【請求項１】
複数のモバイル通信デバイスからの通信需要が時間の関数として変化するエリアに情報を提供するワイヤレス通信システムのためのフェーズドアレイアンテナを操作するための方法であって、複数の連続時間ごとに毎回、
（１）方向の範囲にわたってプローブビームを走査するとともに、走査された前記プローブビームを使用してスペクトル効率をプローブビーム方向の関数として決定するステップと、
（２）前記スペクトル効率を前記プローブビーム方向の関数として使用して、ビーム方向の関数として前記時間に対する総モバイル通信需要密度を測定するステップと、
（３）前記ビーム方向の関数としての総モバイル通信需要密度の測定値を使用して、その時間全体の前記総モバイル通信需要密度が他の方向と比較して高くなるビーム方向を特定するステップと、
（４）前記フェーズドアレイアンテナを用いて、前記時間に対する総モバイル通信需要密度が他のビーム方向と比べて高い方向に向けられる通信ビームを電子的に生成するステップと
を含む、方法。
【請求項２】
前記プローブビームが狭ビームである、請求項１に記載の方法。
【請求項３】
前記プローブビームが走査される前記方向の範囲が方位角および仰角の両方において変化する、請求項１に記載の方法。
【請求項４】
前記通信ビームが狭ビームである、請求項１に記載の方法。
【請求項５】
前記通信ビームが、前記総モバイル通信需要密度のクラスタリングに関する詳細に基づいて選択された形状を有する、請求項１に記載の方法。
【請求項６】
前記生成された通信ビームが送信ビームである、請求項１に記載の方法。
【請求項７】
前記生成された通信ビームが受信ビームである、請求項１に記載の方法。
【請求項８】
前記フェーズドアレイアンテナを用いて、かつ前記複数の連続時間ごとに毎回、複数の通信ビームであって、各々が、前記時間に対する総モバイル通信需要密度が他のビーム方向と比べて高い複数の異なる方向に向けられる、複数の通信ビームを電子的に生成するステップであって、最初に言及される通信ビームが、前記複数の通信ビームのうちのものである、ステップをさらに含む、請求項１に記載の方法。
【請求項９】
前記フェーズドアレイアンテナを用いて、かつ前記複数の連続時間ごとに毎回、複数の通信ビームであって、各々が、総モバイル通信需要密度がクラスタリングを呈する複数の異なる方向に向けられる、複数の通信ビームを電子的に生成するステップであって、最初に言及される通信ビームが、前記複数の通信ビームのうちのものである、ステップをさらに含む、請求項１に記載の方法。
【請求項１０】
前記複数の通信ビームのビームの形状が、クラスタの形状と一致するように選択される、請求項９に記載の方法。
【請求項１１】
複数のモバイル通信デバイスからの通信需要が時間の関数として変化するエリアに情報を提供するワイヤレス通信システムのためのフェーズドアレイアンテナを操作するための方法であって、
プローブビームの方向の関数としての総モバイル通信需要密度を示す履歴情報を含むデータベースを格納するステップであって、
ここで、前記履歴情報は、プローブビーム方向の関数として予め測定されたスペクトル効率から導かれるか、または、前記プローブビーム方向の関数として複数の移動通信装置から予め測定されたセルラトラフィックの特性から導出されたものであり、
前記データベースにおける前記履歴情報は、予め測定されたいずれかの期間にわたる複数の異なる時間に関する総モバイル通信需要密度を示すステップと、
複数の連続時間ごとに毎回、
（１）前の時間期間に対応する時間スロットに関する前記プローブビーム方向の関数としての総モバイル通信需要密度を示すデータベースに含まれる前記履歴情報を参照するステップと、
（２）参照された前記履歴情報を使用して、総モバイル通信需要密度が他の方向と比較して、その時間期間に対応するその前のタイムスロットに対して高いものであったビーム方向を識別するステップと、
（３）前記フェーズドアレイアンテナを用いて、総モバイル通信需要密度が、他のビーム方向に対するその時間期間に対応するその前のタイムスロットに対して高くなる特定の方向に向けられた通信ビームを電子的に生成するステップと、
を含む、方法。
【請求項１２】
前記測定された特性が、無線データの密度である、請求項１１に記載の方法。
【請求項１３】
サービスエリアにわたって分配された複数のモバイル通信デバイスに情報を提供するワイヤレス通信システムのためのフェーズドアレイアンテナを操作するための方法であって、
前記サービスエリアにわたってプローブビームとしての狭プローブビームを走査すること、
前記サービスエリアにわたって前記プローブビームを走査している間に、（１）走査された前記プローブビームを使用して前記複数のモバイル通信デバイスと通信し、かつ、（２）前記走査されたプローブビームの方向の関数として、前記複数のモバイル通信デバイスに関するＳＮＩＲ（Signal-to-Noise-Interference Ratio）データを記録すること、
記録された前記ＳＮＩＲデータを用いて、前記複数のモバイル通信デバイス間の通信需要密度が他のエリアと比べて高いエリアを特定すること、および、
前記特定されたエリアに、複数の狭い通信ビームを向けること、
を含む、方法。
【請求項１４】
記録された前記ＳＮＩＲデータから、前記走査されたプローブビームの複数の方向の各々についてスペクトル効率を計算することをさらに含み、
ここで、前記記録された前記ＳＮＩＲデータを用いて、前記複数のモバイル通信デバイス間の通信需要密度が他のエリアと比べて高いエリアを特定するステップは、他のエリアに比べて高く、複数の方向に関して算出されたスペクトル効率を使用して、前記複数のモバイル通信デバイスのうちの通信需要密度が他のエリアに対して高い領域を特定することを含む、請求項１３に記載の方法。
【請求項１５】
前記プローブビームは、狭ビームである、請求項１４に記載の方法。
【請求項１６】
前記プローブビームの走査は、方位角および仰角の両方において変化する方向の範囲にわたってプローブビームを走査することを含む、請求項１３に記載の方法。
【請求項１７】
複数のモバイル通信デバイスからの通信需要が時間の関数として変化するエリアに情報を提供するワイヤレス通信システムのためのフェーズドアレイアンテナを操作するための方法であって、複数の連続時間ごとに毎回、
（１）方向の範囲にわたってプローブビームを走査するとともに、走査された前記プローブビームを使用して、前記複数のモバイル通信デバイスからのセルラトラフィックの特性をプローブビーム方向の関数として測定するステップと、
（２）測定されたプローブビーム方向の関数としての前記セルラトラフィックの特性をを使用して、総モバイル通信需要密度を前記時間に関するビーム方向の関数として測定するステップと、
（３）前記ビーム方向の関数としての総モバイル通信需要密度の測定値を使用して、その時間全体の前記総モバイル通信需要密度が他の方向と比較して高くなるビーム方向を特定するステップと、
（４）前記フェーズドアレイアンテナを用いて、前記時間に対する総モバイル通信需要密度が他のビーム方向と比べて高い方向に向けられる通信ビームを電子的に生成するステップと
を含む、方法。
【請求項１８】
前記セルラトラフィックの特性が、無線データの密度である、請求項１７に記載の方法。